(57)【要約】【課題】摺動筒を把持した状態でも、プラグ２とソケット３とを円滑に結合させることができるだけでなく、構造が簡単で、安価に製造することができ、しかも、プラグ２とソケット３との結合作業性をよくした抜け止め付コネクタを提供する。【解決手段】プラグ２に設けた弾性係合片６の先端部に形成した係止爪７を、ソケット３に設けた被係止部８に係止させることにより、プラグ２とソケット３とを互いに抜け止めし、プラグ２に外嵌した摺動筒９を軸線方向に摺動させることにより、弾性係合片６を弾性変形させて、係止爪７を被係止部８から離脱させるようにした抜け止め付コネクタにおいて、プラグ２に、摺動筒９の先端方向への移動範囲を、係止爪７が被係止部８に係脱する際のソケット３の先端の到達位置に達しないように制限する移動範囲規制手段である凸部１６を設ける。【選択図】  図１
2016009589.tif 000002
【特許請求の範囲】
【請求項１】
プラグとソケットとの対向部に、互いに嵌合しうる嵌合凸部と嵌合凹部とを対向するように設け、前記プラグとソケットとのいずれか一方に設けた弾性係合片の先端部に形成した係止爪を、前記プラグとソケットとのいずれか他方に設けた被係止部に係止させることにより、前記プラグとソケットとが互いに抜け止めされるようにし、さらに、前記弾性係合片が設けられた前記プラグまたはソケットに、摺動筒を軸線方向に摺動可能として外嵌し、この摺動筒に、前記軸線方向に摺動させることにより、前記弾性係合片の中間部に設けた傾斜面に摺接して、前記弾性係合片を、前記係止爪が被係止部から離脱する方向に弾性変形させうるようにした押動部を設けた抜け止め付コネクタにおいて、
前記弾性係合片が設けられた前記プラグまたはソケットに、前記摺動筒の先端方向への移動範囲を、前記係止爪が被係止部に係脱する際の前記ソケットまたはプラグの先端の到達位置に達しないように制限する移動範囲規制手段を設けたことを特徴とする抜け止め付コネクタ。
【請求項２】
移動範囲規制手段を、弾性係合片における軸線方向の中間部に設けられ、摺動筒の先端が当接するようにしたストッパとした請求項１記載の抜け止め付コネクタ。
【請求項３】
弾性係合片におけるストッパより基端部寄りの外周面に、前記ストッパに当接する直前の摺動筒の先端方向の移動時に、前記摺動筒の先端が摺接して、弾性係合片の先端部を、係止爪が被係止部から離脱する方向にわずかに弾性変形させうるようにした傾斜面を設けた請求項２記載の抜け止め付コネクタ。
【発明の詳細な説明】
【技術分野】
【０００１】
本発明は、ケーブルの接続等に使用される抜け止め付コネクタに関する。
【背景技術】
【０００２】
図７〜図９は、特許文献１および２に記載されているものと同様の従来の抜け止め付コネクタの一例を示す。
このコネクタは、ケーブル１の一端に設けられたプラグ２と、ソケット３との対向部に、それぞれ、互いに嵌合しうる嵌合凸部４と嵌合凹部５とを設け、プラグ２に設けた弾性係合片６の先端部に形成した係止爪７を、ソケット３に設けた被係止部８に係止させることにより、プラグ２とソケット３とを互いに抜け止めし、さらに、プラグ２に、摺動筒９を軸線方向に摺動可能として外嵌し、この摺動筒９の先端に、軸線方向に摺動させることにより、弾性係合片６の中間部に設けた傾斜面６ａに摺接して、弾性係合片６を、係止爪７が被係止部８から離脱する方向に弾性変形させうるようにした内向傾斜押動部９ａを設けたものよりなっている。
【先行技術文献】
【特許文献】
【０００３】
【特許文献１】特開平２−４９３８６号公報
【特許文献２】実開平６−３６２８１号公報
【発明の概要】
【発明が解決しようとする課題】
【０００４】
しかし、上述のような従来の抜け止め付コネクタにおいては、プラグ２とソケット３とを結合させる際に、摺動筒９を、プラグ２の先端側に移動させ、かつその先端に向かって、ソケット３を対向させて結合しようとすることがあるが、その場合は、図１０に示すように、ソケット３の被係止部８がプラグ２の先端の係止爪７に係合する前に、ソケット３の先端がプラグ２の先端に当接して、被係止部８を係止爪７に係合させることができないことがある。
【０００５】
本来は、摺動筒９を把持しないで、摺動筒９以外のプラグ２の外周面を把持した状態で、プラグ２の嵌合凸部４にソケット３の嵌合凹部５を嵌合させれば、ソケット３の被係止部８がプラグ２の係止爪７に円滑に係合するが、そのことを知らなかったり、または失念して、上記のように摺動筒９を把持して、プラグ２とソケット３とを結合させようとすることが往々にしてあり、摺動筒９を把持した状態でも、プラグ２とソケット３とを円滑に結合させることができるようにすることが望まれている。
【０００６】
また、従来は、プラグ２の先端から離れた部分を把持して、ソケット３と結合させなければならないので、プラグ２の先端とソケット３の先端との位置決めが困難で、作業性が悪いという問題がある。
特に、プラグ２とソケット３とのいずれか一方が、電子機器のパネル等に取り付けられている場合には、それらの接続作業を手探りで行わなければならないことが多く、その際に、従来の構造のものでは、その作業がきわめて困難である。
【０００７】
本発明は、上記のような要望を満足させるとともに、上記のような問題点を解決するべくなされたもので、摺動筒を把持した状態でも、プラグ２とソケット３とを円滑に結合させることができるだけでなく、構造が簡単で、安価に製造することができ、しかも、プラグ２とソケット３との結合作業性をよくした、抜け止め付コネクタを提供することを目的としている。
【課題を解決するための手段】
【０００８】
本発明によると、上記課題は、次のようにして解決される。
(１)  プラグとソケットとの対向部に、互いに嵌合しうる嵌合凸部と嵌合凹部とを対向するように設け、前記プラグとソケットとのいずれか一方に設けた弾性係合片の先端部に形成した係止爪を、前記プラグとソケットとのいずれか他方に設けた被係止部に係止させることにより、前記プラグとソケットとが互いに抜け止めされるようにし、さらに、前記弾性係合片が設けられた前記プラグまたはソケットに、摺動筒を軸線方向に摺動可能として外嵌し、この摺動筒に、前記軸線方向に摺動させることにより、前記弾性係合片の中間部に設けた傾斜面に摺接して、前記弾性係合片を、前記係止爪が被係止部から離脱する方向に弾性変形させうるようにした押動部を設けた抜け止め付コネクタにおいて、前記弾性係合片が設けられた前記プラグまたはソケットに、前記摺動筒の先端方向への移動範囲を、前記係止爪が被係止部に係脱する際の前記ソケットまたはプラグの先端の到達位置に達しないように制限する移動範囲規制手段を設ける。
【０００９】
このような構成によると、摺動筒を把持して、プラグまたはソケットの先端側に移動させたとき、摺動筒は、移動範囲規制手段により、先端方向への移動が制限され、摺動筒の先端が、結合しようとするソケットまたはプラグの先端に当接することはなく、弾性係合片の係止爪を被係止部に円滑に係合させることができる。
したがって、プラグとソケットの先端に近い部分を左右の手の指で把持して、それらを結合させることができるので、プラグとソケットの先端同士の位置決めが容易であり、結合時の作業性が、従来のように、プラグにおける先端から離れた部分を把持して、プラグとソケットとを結合させなければならなかったものより、格段によくなる。
【００１０】
(２)  上記(１)項において、移動範囲規制手段を、弾性係合片における軸線方向の中間部に設けられ、摺動筒の先端が当接するようにしたストッパとする。
【００１１】
このような構成によると、弾性係合片の中間部にストッパを設けるだけでよいので、従来のコネクタに複雑な構成を付加したり、大がかりな加工を施したすることなく、構造が簡単となり、かつ安価に製造することができる。
【００１２】
(３)  上記(２)項において、弾性係合片におけるストッパより基端部寄りの外周面に、前記ストッパに当接する直前の摺動筒の先端方向の移動時に、前記摺動筒の先端が摺接して、弾性係合片の先端部を、係止爪が被係止部から離脱する方向にわずかに弾性変形させうるようにした傾斜面を設ける。
【００１３】
このような構成によると、摺動筒を把持して、プラグとソケットとを結合させる際に、弾性係合片の先端部が、係止爪が被係止部から離脱する方向にわずかに弾性変形させられるので、係止爪を被係止部に係止させ易くなり、結合作業がさらに楽になる。
【発明の効果】
【００１４】
本発明によると、摺動筒を把持した状態でも、プラグとソケットとを円滑に結合させることができるだけでなく、構造が簡単で、安価に製造することができ、しかも、プラグとソケットとの結合作業性をよくした抜け止め付コネクタを提供することができる。
【図面の簡単な説明】
【００１５】
【図１】本発明の抜け止め付コネクタの一実施形態におけるプラグとソケットとを結合する前の状態を、上半部を縦断して示す正面図である。
【図２】同じく、プラグとソケットとを結合した状態を、上半部を縦断して示す正面図である。
【図３】弾性係合片を備える部材の斜視図である。
【図４】図２のIV部の拡大断面図である。
【図５】移動範囲規制手段の変形例を示す要部の拡大縦断正面図である。
【図６】弾性係合片の変形例を示す要部の拡大縦断正面図である。
【図７】従来の抜け止め付コネクタのプラグとソケットとを結合する前の状態を、上半部を縦断して示す正面図である。
【図８】同じく、プラグとソケットとを結合した状態を、上半部を縦断して示す正面図である。
【図９】従来の弾性係合片を備える部材の斜視図である。
【図１０】従来の抜け止め付コネクタにおいて、プラグとソケットとを結合する際の状態を示す要部の拡大縦断正面図である。
【発明を実施するための形態】
【００１６】
以下、本発明の抜け止め付コネクタの一実施形態を、図１〜図４に基づいて説明する。なお、図７〜図１０に示す従来の抜け止め付コネクタにおけるのと同一または類似の部材には、同一の符号をもって図示するに止め、それらについての共通する説明は省略する。
【００１７】
ケーブル１の一端に設けられたプラグ２は、先端に円柱状の嵌合凸部４が形成された本体１０と、この本体１０における嵌合凸部４より基端(図１における右方の端部)寄りの外周部に取り付けられた、図３に示すようなほぼ円筒状の抜止め部材１１と、本体１０の中間部と抜止め部材１１の一部との外周に、軸線方向および回転方向に摺動自在に外嵌された摺動筒９とからなっている。
【００１８】
本体１０の嵌合凸部４の先端面には、ソケット３に設けた複数のピン１２がそれぞれ嵌合するようにした複数の受孔１３が設けられ、各受孔１３には、図示は省略したが、ケーブル１内の複数の導線がそれぞれ接続されている。
【００１９】
抜止め部材１１は、図３に示すように、本体１０の中間部の外周に外嵌され、かつ固着された円筒部１１ａと、この円筒部１１ａに基端部が連設され、かつ相互間にすり割り状のスリット１４を設けることにより、ほぼ４分の１円弧状とした４個の弾性係合片６とからなっている。
【００２０】
各弾性係合片６の先端には、先端から基端に向かって外向きに傾斜する傾斜面７ａを有する係止爪７が設けられている。
各弾性係合片６における係止爪７から基端に向かう外周には、プラグ２とソケット３との結合時に、ソケット３の被係止部８が嵌合しうるようにした凹部１５、摺動筒９の先端が当接するようにした凸部１６、摺動筒９の先端部が嵌合しうるようにした凹部１７、および基端に向かって外向きに傾斜する傾斜面６ａを有する隆起部１８が、順次設けられている。
【００２１】
凸部１６は、摺動筒９の先端が当接するストッパをなし、さらには、摺動筒９の先端が当接することにより、摺動筒９の先端方向への移動範囲を、係止爪７が被係止部８に係脱する際のソケット３の先端の到達位置(図４に示す)に達しないように制限する移動範囲規制手段をなしている。
【００２２】
摺動筒９の押動部９ａは、先端に向かって漸次縮径するテーパ筒状をなし、摺動筒９を、図４に示す状態から、本体１０に対して図４の右方に移動させると、押動部９ａの内面に形成されたテーパ孔状の傾斜面９ｂが、弾性係合片６の傾斜面６ａに摺接して、弾性係合片６を、係止爪７が被係止部８から離脱する求心方向に弾性変形させるようになっている。
【００２３】
本体１０の外周面における弾性係合片６の内面に対向する部分には、弾性係合片６の求心方向の弾性変形を許容するための、先端に向かって漸次縮径するテーパ状の縮径部１９が形成されている。
【００２４】
摺動筒９の外周面、それより基端寄りの本体１０の外周面、およびソケット３の外周面には、それらの部分の把持を確実にし、かつ滑り止めするための環状の凹凸９ｃ、１０ａ、３ａが、それぞれ設けられている。これらの凹凸９ｃ、１０ａ、３ａは、ローレットまたはその他の滑り止め処理とすることもある。
【００２５】
ソケット３は、プラグ２との対向面に嵌合凹部５が形成された有底円筒状をなし、その底部に相当する基端壁３ｂに、軸線方向を向く上述した複数のピン１２が貫設されている。
基端壁３ｂより外部に突出する各ピン１２の外端部は、ケーブル１に接続しようとする他のケーブルまたは電子機器等の導線(図示略)を接続するための端子をなしている。
【００２６】
図１に示すように、互いに分離したプラグ２とソケット３とを結合するには、例えば右手で、摺動筒９の外周面、特に凹凸９ｃのある部分を把持して、プラグ２全体およびケーブル１の端部を支持し、かつ左手で、ソケット３の外周面、特に凹凸３ａのある部分を把持して、ソケット３を支持し、ソケット３の嵌合凹部５を、プラグ２の嵌合凸部４に外嵌させる。
【００２７】
このとき、摺動筒９の先端は、各弾性係合片６に設けたストッパである突部１６に当接し、そこから弾性係合片６の先端側に移動することはないので、ソケット３の被係止部８が各弾性係合片６の係止爪７に係合する前に、摺動筒９の先端がソケット３の先端に当接して、上記の係合を妨げるということはなくなり、弾性係合片６の係止爪７を被係止部８に円滑に係合させることができる。
【００２８】
また、プラグ２とソケット３の先端に近い部分を左右の手の指で把持して、それらを結合させることができるので、プラグ２とソケット３の先端同士の位置決めが容易であり、結合時の作業性が、従来のように、プラグ２における先端から離れた部分を把持して、プラグ２とソケット３とを結合させなければならなかったものより、格段によくなる。
【００２９】
図５は、移動範囲規制手段の変形例を示す。なお、図１〜図４に示す本発明の実施形態におけるのと同一または類似の部材には、同一の符号を付して図示するに止め、それらについての詳細な説明は省略する(図６に示す変形例においても同様とする)。
【００３０】
この変形例においては、図４に示す実施形態における凸部１６を省略して、凹部１５と凹部１７とを連続させたような凹部２０を、各弾性係合片６の外周面に形成し、それに代えて、摺動筒９の内面に設けた環状突条２１を、プラグ２の外周面に設けた環状溝２２に嵌合させて、摺動筒９の軸線方向の移動範囲を制限するようにしてある。
【００３１】
すなわち、環状溝２２の軸線方向の幅を、環状突条２１の軸線方向の幅より大とするとともに、図５(ａ)に示すように、環状突条２１が、環状溝２２におけるプラグ２の先端寄りの端面に当接したとき、摺動筒９の先端が、凹部２０の軸線方向の中間位置で停止させられ、摺動筒９の先端より各弾性係合片６の先端側に、図５(ｂ)に示すように、ソケット３をプラグ２に結合させる際に、係止爪７が被係止部８に係脱するのを許容する空所が形成されるようにしてある。
【００３２】
また、図５(ｃ)に示すように、摺動筒９をプラグ２の先端から離れるように、軸線方向に移動させて、押動部９ａにより、各弾性係合片６の傾斜面６ａを求心方向に押動して、各弾性係合片６の先端部を、係止爪７がソケット３の被係止部８から離れるように弾性変形させることができ、そのときの摺動筒９の軸線方向の移動を、環状突条２１が環状溝２２内において軸線方向に移動することによって許容しうるようにしてある。
【００３３】
このように、摺動筒９の先端方向への移動範囲を、係止爪７が被係止部８に係脱する際のソケット３の先端の到達位置に達しないように制限する移動範囲規制手段を、摺動筒９の内面に設けた環状突条２１と、それが嵌合するようにプラグ２の外周面に設けた環状溝２２とによって構成することもできる。
【００３４】
図６は、弾性係合片の変形例を示す。
この変形例においては、図４に示す実施形態の各弾性係合片６におけるストッパをなす凸部１６より基端部寄りの外周面に、凸部１６に当接する直前の摺動筒９の先端方向の移動時に、摺動筒９の先端が摺接して、各弾性係合片６の先端部を、係止爪７がソケット３の被係止部８から離脱する方向、すなわち求心方向にわずかに弾性変形させうるようにした傾斜面２３を設けてある。
【００３５】
このような構成によると、摺動筒９を把持して、プラグ２とソケット３とを結合させる際に、弾性係合片６の先端部が、係止爪７が被係止部８から離脱する方向にわずかに弾性変形させられるので、係止爪７を被係止部８に係止させ易くなり、結合作業がさらに楽になる。
【００３６】
本発明は、上記実施形態および変形例のみに限定されるものではなく、例えば、次のような変形した態様での実施が可能である。
(１)  係止爪７を備える弾性係合片６、および摺動筒９をソケット３に設け、被係止部８をプラグ２に設ける。
(２)  ピン１２をプラグ２に設け、それが嵌合される受孔１３をソケット３に設ける。
(３)  プラグ２とソケット３のいずれか一方を、電子機器のパネルに装着し、かつ他方をケーブル１に接続する。
ソケット３を電子機器のパネルに装着した場合には、プラグ２の先端に近い部分を把持して接続操作ができるので、ソケット３とプラグ２の位置決めを容易に行うことができる。
(４)  嵌合凸部４と嵌合凹部５とを、円形以外の形状、例えば直方形その他の形状とする。
【符号の説明】
【００３７】
１  ケーブル
２  プラグ
３  ソケット
３ａ凹凸
３ｂ基端壁
４  嵌合凸部
５  嵌合凹部
６  弾性係合片
６ａ傾斜面
７  係止爪
７ａ傾斜面
８  被係止部
９  摺動筒
９ａ押動部
９ｂ傾斜面
９ｃ凹凸
１０  本体
１０ａ凹凸
１１  抜止め部材
１１ａ円筒部
１２  ピン
１３  受孔
１４  スリット
１５  凹部
１６  凸部(ストッパ、移動範囲規制手段)
１７  凹部
１８  隆起部
１９  縮径部
２０  凹部
２１  環状突条
２２  環状溝
２３  傾斜面
【図１】
2016009589.tif 000003
【図２】
2016009589.tif 000004
【図３】
2016009589.tif 000005
【図４】
2016009589.tif 000006
【図５】
2016009589.tif 000007
【図６】
2016009589.tif 000008
【図７】
2016009589.tif 000009
【図８】
2016009589.tif 000010
【図９】
2016009589.tif 000011
【図１０】
2016009589.tif 000012